(57)【要約】【課題】画面表示の情報の一覧性を向上させる。【解決手段】ガス分析システム１００は、分析ユニット１と機能選択部２３と設定情報記憶部２５と設定情報入力部２９と表示部２１と分析状態記憶部２７とを備える。機能選択部２３は、作業内容／選択項目に対応する機能選択ボタンを有する。表示フレームＦは、入出力情報表示フィールドＦ２と、第１機能選択結果表示フィールドＦ１０１と、第２機能選択表示フィールドとを有する。入出力情報表示フィールドＦ２は、選択された作業内容／選択項目に基づいて、設定情報及び／又は分析ユニット情報を表示する。第１機能選択結果表示フィールドＦ１０１は、作業内容の名称が付された機能表示領域を有する。第２機能選択結果フィールドは、選択項目の名称が付された機能表示領域を表示する。機能表示領域と機能選択ボタンとは、機能表示領域を指定して特定すると機能選択ボタンをＯＮ状態となるよう対応づけられる。【選択図】図３Ｃ
2015090297.tif 000002
【特許請求の範囲】
【請求項１】
試料ガスを分析するガス分析システムであって、
設定情報に基づいて、複数の作業内容のうちの選択された作業内容を実行する分析ユニットと、
前記複数の作業内容のそれぞれ、及び、少なくとも１つの前記作業内容が関連付けて有する選択項目のそれぞれに対応する複数の機能選択ボタンを有し、対応する前記機能選択ボタンをＯＮ状態とすることにより所望の前記作業内容及び／又は前記選択項目を選択可能となっている機能選択部と、
前記設定情報を記憶する設定情報記憶部と、
前記設定情報の入力を受け付ける設定情報入力部と、
ユーザに対して視覚的情報を与える表示フレームを表示する表示部と、
前記分析ユニットからの出力信号を、分析ユニット情報として記憶する分析状態記憶部と、
を備え、
前記表示フレームは、
現在選択されている前記作業内容、及び／又は、現在選択されている前記選択項目に基づいて、前記設定情報記憶部に記憶されている所定の前記設定情報、及び／又は、前記分析状態記憶部に記憶されている所定の前記分析ユニット情報を表示し、前記設定情報入力部により新たな設定情報が入力された場合には、前記新たな設定情報を表示する入出力情報表示フィールドと、
前記複数の作業内容のそれぞれの名称を表示する複数の機能表示領域を有する第１機能選択結果表示フィールドと、
現在選択されている前記作業内容に前記選択項目が関連づけられているときに、前記選択項目の名称を表示する機能表示領域を表示する第２機能選択結果表示フィールドと、
を有し、
前記現在選択されている作業内容の名称を表示する前記機能表示領域、及び／又は、前記現在選択されている前記選択項目の名称を表示する前記機能表示領域は強調表示されており、
前記複数の機能表示領域と前記複数の機能選択ボタンは、前記機能表示領域内の所定の位置を指定して前記機能表示領域を特定することにより、特定された前記機能表示領域に付された前記作業内容及び／又は設定項目に対応する前記機能選択ボタンをＯＮ状態とすることが可能となるよう対応づけられている、ガス分析システム。
【請求項２】
前記複数の作業内容は、前記試料ガス中の所定成分の濃度及び／又は前記試料ガス中のガスパラメータの分析を実行する分析実行作業を含み、
前記分析実行作業が選択されたとき、前記入出力情報表示フィールドには、少なくとも、前記分析状態記憶部に記憶されている前記分析ユニット情報が表示され、
前記分析ユニット情報は、前記分析ユニットにおける前記試料ガスの前記ガスパラメータの分析結果と、前記分析ユニットの状態に関する情報とを含む、請求項１のガス分析システム。
【請求項３】
前記複数の作業内容は、前記分析ユニットの校正を実行する校正実行作業を含み、
前記校正実行作業が選択されたとき、前記入出力情報表示フィールドには、前記設定情報記憶部に記憶されている前記設定情報、及び、前記分析状態記憶部に記憶されている前記分析ユニット情報が表示され、
前記設定情報は、前記分析ユニットの校正を実行するときに用いる対象ガスと、前記分析ユニットのスパン校正を実行する前記対象ガスの濃度と、ゼロ校正を実行する前記対象ガスの濃度を含んでおり、
前記分析ユニット情報は、前記分析ユニットにおけるゼロ校正の実行結果と、スパン校正の実行結果と、を含む、請求項１又は２に記載のガス分析システム。
【請求項４】
前記複数の作業内容は、連絡先の表示を行う連絡先表示作業を含み、
前記連絡先表示作業が選択されたとき、前記入出力情報表示フィールドには、前記設定情報記憶部に記憶されている前記設定情報が表示され、
前記設定情報は、連絡先情報と、前記連絡先情報を用いて連絡を行うための連絡手段とを含んでおり、
前記連絡先情報が表示された領域を指定することにより、指定された前記連絡先情報に対応づけられた前記連絡手段を用いて、指定された前記連絡先に連絡可能となっている、請求項１〜３のいずれかに記載のガス分析システム。
【請求項５】
前記複数の作業内容は、前記分析ユニットの設定を実行する設定作業を含み、
前記設定作業が選択されたとき、前記入出力情報表示フィールドには、少なくとも、燃焼時に用いた候補燃料のリストが表示され、
前記設定情報には、前記候補燃料のリストが含まれており、
前記候補燃料のそれぞれは、酸素濃度換算値を算出するために用いる複数の換算濃度基準値のそれぞれと関連づけられており
前記入出力情報表示フィールドに表示された前記候補燃料から、１の前記候補燃料を選択することにより、前記換算濃度基準値を設定可能である、請求項１〜４のいずれかに記載のガス分析システム。
【発明の詳細な説明】
【技術分野】
【０００１】
本発明は、試料ガスの分析を行うガス分析システムに関する。
【背景技術】
【０００２】
従来、試料ガスを分析し、分析結果を画像表示する分析装置が知られている。例えば、特許文献１には、試料ガス中の複数の成分項目に係る分析値を算出する分析ユニットと、分析値を画像表示する表示部と、ユーザの入力操作を受け付ける操作入力部と、操作入力部への入力操作に応じた表示態様を用いて、各成分に係る分析値を表示部の画面に表示させる分析結果表示制御部とを備えた分析装置が知られている。
この分析装置においては、表示個数切替ボタンへタッチ入力が行われる度に、分析結果表示画面の表示形式が切り替えられている。
【先行技術文献】
【特許文献】
【０００３】
【特許文献１】特開２０１２−１８９５４９号公報
【発明の概要】
【発明が解決しようとする課題】
【０００４】
特許文献１に開示された分析装置においては、一覧性が悪く、そのために操作性も悪い。表示個数切替ボタンへのタッチ入力が１回行われたときに、ある画面表示から遷移できる画面表示が決められている。このような場合、例えば、ある画面表示の直前の画面表示に戻りたい場合などに、表示個数切替ボタンを複数回タッチ入力する必要がある。また、表示個数切替ボタンのタッチ入力回数が過剰になった場合（すなわち、タッチ入力が過剰すぎて、所望の画面表示を通過して別の画面表示が表示されてしまった場合）、再び所望の画面表示が表示されるまで表示個数切替ボタンを複数回タッチ入力する必要がある。
【０００５】
本発明の課題は、ガス分析システムにおいて、画面表示の情報の一覧性を向上させることにある。
【課題を解決するための手段】
【０００６】
以下に、課題を解決するための手段として複数の態様を説明する。これら態様は、必要に応じて任意に組み合せることができる。
本発明の一見地に係るガス分析システムは、試料ガスを分析するガス分析システムである。ガス分析システムは、分析ユニットと、機能選択部と、設定情報記憶部と、設定情報入力部と、表示部と、分析状態記憶部と、を備える。
分析ユニットは、設定情報に基づいて、複数の作業内容のうちの選択された作業内容を実行する。
機能選択部は、複数の作業内容のそれぞれ、及び、選択項目のそれぞれに対応する複数の機能選択ボタンを有する。少なくとも１つの作業内容が、設定項目を関連づけて有している。また、機能選択部は、対応する機能選択ボタンをＯＮ状態とすることにより所望の作業内容及び／又は選択項目を選択可能となっている。
設定情報記憶部は、設定情報を記憶する。設定情報入力部は、設定情報の入力を受け付ける。表示部は、表示フレームを表示する。表示フレームとは、ユーザに対して視覚的情報を与えるものである。分析状態記憶部は、分析ユニットからの出力信号を、分析ユニット情報として記憶する。
【０００７】
また、表示部に表示される表示フレームは、入出力情報表示フィールドと、第１機能選択結果表示フィールドと、第２機能選択結果表示フィールドを有している。
入出力情報表示フィールドは、現在選択されている作業内容、及び／又は、現在選択されている選択項目に基づいて、設定情報記憶部に記憶されている所定の設定情報、及び／又は、分析状態記憶部に記憶されている所定の分析ユニット情報を表示する。また、入出力情報表示フィールドは、設定情報入力部により新たな設定情報が入力された場合には、新たな設定情報を表示する。
第１機能選択結果表示フィールドは、複数の作業内容のそれぞれの名称を表示する複数の機能表示領域を有する。第２機能選択結果表示フィールドは、現在選択されている作業内容に選択項目が関連づけられているときに、選択項目の名称を表示する機能表示領域を表示する。
また、第１機能選択結果表示フィールド及び第２機能選択結果表示フィールドにおいて、現在選択されている作業内容の名称を表示する機能表示領域、及び／又は、現在選択されている選択項目の名称を表示する機能表示領域は強調表示されている。
【０００８】
さらに、複数の機能表示領域と複数の機能選択ボタンは、機能表示領域内の所定の位置を指定して機能表示領域を特定することにより、特定された機能表示領域に付された作業内容及び／又は設定項目に対応する機能選択ボタンをＯＮ状態とすることが可能となるよう対応づけられている。
【０００９】
このガス分析システムにおいては、表示部に表示フレームが表示される。これにより、ユーザは、ガス分析システムに関する視覚的情報を与えられる。次に、表示フレーム中の第１機能選択結果表示フィールドの機能表示領域内の所定の位置が指定されることにより、所望の作業内容を名称として付された機能表示領域が特定される。このとき、特定された機能表示領域に付された作業内容に対応する機能選択ボタンがＯＮ状態となる。その結果、所望の作業内容が選択される。
【００１０】
次に、選択された作業内容に関連づけられた選択項目が存在する場合、当該選択項目の名称が付された機能表示領域が、第２機能選択表示フィールドに表示される。この場合、第１機能選択結果表示フィールドと同様、第２機能選択表示フィールド内の機能表示領域を指定することにより、所望の選択項目が選択される。
【００１１】
そして、分析ユニットが、設定情報記憶部に記憶されている設定情報に基づいて、選択された作業内容を実行する。作業内容を実行している分析ユニットは、出力信号を出力する。当該出力信号は、分析状態記憶部に分析ユニット情報として記憶される。
【００１２】
分析ユニットにおける各動作の実行中、ガス分析システムにおいては、第１機能選択結果表示フィールドに、作業内容の名称を表示する機能表示領域が表示される。加えて、選択された作業内容に関連づけられた選択項目が存在する場合は、第２機能選択結果表示フィールドが表示され、第２機能選択結果表示フィールドには関連付けられた選択項目の名称を表示する機能表示領域が表示される。
また、所定の設定情報、及び／又は、所定の分析ユニット情報が、入出力情報表示フィールドに表示される。
なお、入出力情報表示フィールドに表示される設定情報及び分析ユニット情報は、選択されている作業内容及び／又は選択項目に基づいて決められている。また、現在選択されている作業内容及び／又は選択項目に対応する名称が付された機能表示領域は強調表示されている。
【００１３】
上記のような表示フレームを表示部に表示することにより、ユーザにとっては、画面表示の情報の一覧性が向上する。なぜなら、第１に、第１機能選択結果表示フィールドに作業内容が表示され、選択された作業内容に関連づけられた選択項目が存在する場合は、選択項目の名称を表示する機能表示領域が第２機能選択結果表示フィールドに表示されるからである。
第２に、表示フレームの機能選択結果表示フィールドにおいては現在選択されている選択機能に対応する名称が付された機能表示領域が強調表示されるからである。
第３に、入出力情報表示フィールドにおいては選択された作業内容及び／又は選択項目に基づいて、所定の設定情報、及び／又は、所定の分析ユニット情報が表示されているからである。
【００１４】
また、ガス分析システムにおいては、表示フレーム中の複数の機能表示領域から特定の機能表示領域を指定することにより、所望の作業内容及び／又は選択項目を選択可能となっている。そのため、少ないユーザ操作数にてガス分析システムの所望の作業内容及び／又は選択項目を選択でき、つまりガス分析システムの操作性が向上する。
【００１５】
そして、入出力情報表示フィールドにおいては、選択された作業内容及び／又は選択項目に基づいて、所定の設定情報、及び／又は、所定の分析ユニット情報が表示される。言い換えると、ユーザ操作によって所望の作業内容及び／又は選択項目が選択されると、それに応じて、入出力情報表示フィールドの表示内容が変化する。このようにして、情報の一覧性が向上していることで、操作性も向上している。
【００１６】
複数の作業内容は、分析実行作業を含んでいてもよい。分析実行作業は、試料ガス中の所定成分の濃度及び／又は試料ガスのガスパラメータの分析を実行する作業である。
また、分析実行作業が選択されたとき、入出力情報表示フィールドには、少なくとも、分析状態記憶部に記憶されている分析ユニット情報が表示されてもよい。
さらに、分析ユニット情報は、試料ガスのガスパラメータの分析結果と、分析ユニットの状態に関する情報とを含んでいてもよい。
これにより、分析実行作業の実行時に、試料ガスのガスパラメータ分析結果と分析ユニットの状態とを表示フレームに表示できる。その結果、ユーザにとって画面表示の情報の一覧性が向上する。
【００１７】
複数の作業内容は、校正実行作業を含んでいてもよい。校正実行作業は、分析ユニットの校正を実行する作業である。
校正実行作業が選択されたとき、入出力情報表示フィールドには、設定情報記憶部に記憶されている設定情報、及び、分析状態記憶部に記憶されている分析ユニット情報が表示されてもよい。
さらに、設定情報は、分析ユニットの校正を実行するときに用いる対象ガスと、分析ユニットのスパン校正を実行する対象ガスの濃度と、ゼロ校正を実行する対象ガスの濃度を含んでいてもよい。また、分析ユニット情報は、分析ユニットにおけるゼロ校正の実行結果と、スパン校正の実行結果と、を含んでいてもよい。
これにより、校正実行作業の実行時に、校正を実行する対象ガスと、スパン校正を実行する対象ガスの濃度と、ゼロ校正を実行する対象ガスの濃度と、ゼロ校正の実行結果と、スパン校正の実行結果と、を表示フレームに表示できる。その結果、ユーザは、表示フレームにおいて、上記の情報を一度に確認できる。そのため、ユーザにとって、画面表示の情報の一覧性が向上する。
【００１８】
複数の作業内容は、連絡先表示作業を含んでいてもよい。連絡先表示作業は、連絡先の表示を行う作業である。
連絡先表示作業が選択されたとき、入出力情報表示フィールドには、設定情報記憶部に記憶されている設定情報が表示されてもよい。
さらに、設定情報は、連絡先情報と、連絡手段とを含んでいてもよい。連絡手段とは、連絡先情報を用いて連絡を行うための手段のことを言う。
また、ガス分析システムにおいては、連絡先情報が表示された領域を指定することにより、指定された連絡先情報に対応づけられた連絡手段を用いて、指定された連絡先に連絡可能となっていてもよい。
【００１９】
このように、連絡先表示作業の実行時に、設定情報に含まれる連絡先と連絡手段とが表示フレームに表示されることにより、情報の一覧性が向上する。
また、連絡先情報が表示された領域を指定することにより、指定された連絡先情報に対応づけられた連絡手段を用いて、指定された連絡先に連絡可能となっていることにより、ユーザが誤った場所に連絡することが生じにくい。その結果、ユーザは、すばやく連絡先に連絡できる。
【００２０】
複数の作業内容は設定作業を含んでいてもよい。設定作業は、分析ユニットの設定を実行する作業である。
設定作業が選択されたとき、入出力情報表示フィールドには、少なくとも、燃焼時に用いた候補燃料のリストが表示されてもよい。
さらに、設定情報には候補燃料のリストが含まれていてもよい。このとき、候補燃料のそれぞれは、複数の換算濃度基準値のそれぞれと関連付けられている。換算濃度基準値とは、所定成分の酸素濃度換算値を算出するために用いる値である。
また、ガス分析システムにおいては、入出情報表示フィールドに表示された候補燃料から、１の候補燃料を選択することにより、換算濃度基準値を設定可能であってもよい。
これにより、設定作業の実行時に、ユーザは、具体的な数値を換算濃度基準値として入力する必要がなくなる。その結果、換算濃度基準値を設定する際のユーザ操作数を減少できる。
【発明の効果】
【００２１】
ガス分析システムにおいて、表示部の画面表示の一覧性を向上できる。
【図面の簡単な説明】
【００２２】
【図１】ガス分析システムの全体構成を示す図
【図２】情報処理ユニットの構成を示す図
【図３Ａ】作業内容として分析実行作業が選択された際の表示フレームの表示状態を示す図
【図３Ｂ】作業内容としてつまり除去作業が選択された際の表示フレームの表示状態を示す図
【図３Ｃ】作業内容として校正実行作業が選択された際の表示フレームの表示状態を示す図
【図３Ｄ】作業内容として連絡先表示作業が選択された際の表示フレームの表示状態を示す図
【図３Ｅ】作業内容として設定作業が選択された際の表示フレームの表示状態を示す図
【図３Ｆ】作業内容として履歴表示作業が選択された際の表示フレームの表示状態を示す図
【図３Ｇ】作業内容として第１の試験実行作業が選択された際の表示フレームの表示状態を示す図
【図３Ｈ】作業内容として第２の試験実行作業が選択された際の表示フレームの表示状態を示す図
【図３Ｉ】設定作業を選択時に候補燃料のリストを表示したときの表示フレームの表示状態を示す図
【図４】ガス分析システムの動作を示すフローチャート
【発明を実施するための形態】
【００２３】
１．第１実施形態
（１）ガス分析システムの全体構成
第１実施形態に係るガス分析システム１００について図１を用いて説明する。図１は、ガス分析システムの全体構成を示す図である。ガス分析システム１００は、試料ガスを分析するシステムである。試料ガスとしては、例えば、燃焼排ガスからの排ガス、又は、各種プロセス装置において発生するガスなど、様々な種類のガスが存在する。
ガス分析システム１００は、分析ユニット１と、情報処理ユニット２と、を備える。分析ユニット１は、設定情報に基づいて、選択された作業内容（後述）を実行する。
【００２４】
本実施形態における選択可能な作業内容としては、試料ガスのガスパラメータを分析する作業（分析実行作業）がある。分析ユニット１にて分析するガスパラメータとしては、試料ガス中の所定成分の濃度がある。その他、分析ユニット１にて測定可能なガスパラメータとして、試料ガスの温度及び／又は圧力など、試料ガスの性質を表すパラメータを選択できる。
【００２５】
また、ガス分析システム１００においては、選択可能な作業内容として、メンテナンス作業がある。メンテナンス作業として、たとえば、分析ユニット１に備わるセンサーなどの校正（校正実行作業）、各国毎に定められている２つの試験の実行（第１の試験実行作業、第２の試験実行作業）、ガス分析システム１００において発生した異常などを履歴として保存及び表示する動作（履歴保存作業、履歴表示作業）、分析ユニット１の各種設定の実行（設定作業）、分析ユニット１のフィルター及び配管などのつまりを除去する作業（つまり除去作業）、などである。
【００２６】
後述するように、上記の作業内容のいずれを分析ユニット１にて実行するかは、表示部２１（後述）に表示される表示フレームＦ（図３Ａ〜図３Ｉ）中に表示されている機能表示領域（図３Ａ〜図３Ｉ）の所定の領域を指定して、上記各作業内容に対応付けられた機能選択ボタン（図２）をＯＮ状態とすることにより選択できる。
【００２７】
さらに、本実施形態のガス分析システム１００においては、選択可能な作業内容として、ガス分析システム１００においてトラブルやエラーなどが発生した場合の連絡手段と連絡先を表示する作業（連絡先表示作業）が存在する。これにより、ガス分析システム１００においてトラブルやエラーが発生した場合に、迅速な対応が可能となる。
【００２８】
また、上記複数の作業内容のうち、少なくとも１つの作業内容は、選択項目を関連付けて有している。選択項目とは、例えば、関連付けられた作業内容を実行する際にさらに選択可能である各種機能のことを言う。選択項目の詳細については後述する。
【００２９】
また、分析ユニット１は、複数の分析器及び／又は分析装置により構成されていてもよい。例えば、分析ユニット１は、所定成分の濃度を測定するガス濃度分析装置と、試料ガスの温度を測定するガス温度測定装置と、試料ガスの圧力を測定するガス圧力測定装置と、により構成されていてもよい。
【００３０】
さらに、分析ユニット１を構成するガス濃度分析装置は、試料ガス中の所定成分毎に異なるガス濃度分析器を有していてもよい。例えば、窒素酸化物（ＮＯｘ）系のガス濃度分析に化学発光法（ＣＬＤ、Ｃｈｅｍｉｃａｌ  Ｌｕｍｉｎｅｓｃｅｎｃｅ  Ｄｅｔｅｃｔｉｏｎ  ｍｅｔｈｏｄ）を用いたガス濃度分析器を用い、硫黄酸化物（ＳＯｘ）系のガス濃度分析に非分散紫外線吸収法（ＮＤＵＶ、Ｎｏｎ−Ｄｉｓｐｅｒｓｉｖｅ  Ｕｌｔｒａ  Ｖｉｏｌｅｔ  ａｂｓｏｒｐｔｉｏｎ  ｍｅｔｈｏｄ）を用いたガス濃度分析器を用い、炭素酸化物（ＣＯ、ＣＯ２）のガス濃度分析に非分散赤外線吸収法（ＮＤＩＲ、Ｎｏｎ−Ｄｉｓｐｅｒｓｉｖｅ  ＩｎｆｒａＲｅｄ  ａｂｓｏｒｐｔｉｏｎ  ｍｅｔｈｏｄ）を用いたガス濃度分析器を用いることができる。
【００３１】
上記のように、ガス種類に応じて適切なガス分析器を用いて所定成分の濃度を測定することにより、複数の所定成分のガス濃度を、広い測定レンジにて精度よく測定できる。
【００３２】
情報処理ユニット２は、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）と、ＨＤＤ（Ｈａｒｄ  Ｄｉｓｃ  Ｄｒｉｖｅ）及び／又はＳＳＤ（Ｓｏｌｉｄ  Ｓｔａｔｅ  Ｄｒｉｖｅ）などの記憶装置と、キーボード及び／又はマウスなどの入力手段と、各種インターフェースとを有するコンピュータと、タッチパネル機能付き液晶ディスプレイ又は液晶ディスプレイなどのディスプレイと、により構成されたコンピュータシステムである。
【００３３】
なお、後述する情報処理ユニット２の各部の一部は、上記コンピュータのＲＡＭ、ＲＯＭ、又は記憶装置に記憶されたプログラムを実行することにより実現されてもよい。また、情報処理ユニット２の各部の一部は、カスタムＩＣなどにより実現されてもよい。
【００３４】
情報処理ユニット２は、分析ユニット１と信号送受信可能に接続されている。例えば、情報処理ユニット２は、ＬＡＮ（Ｌｏｃａｌ  Ａｒｅａ  Ｎｅｔｗｏｒｋ）、シリアル通信（例えば、ＵＳＢ（Ｕｎｉｖｅｒｓａｌ  Ｓｅｒｉａｌ  Ｂｕｓ、ＲＳ−２３２Ｃなど）などにより、分析ユニット１と接続されている。
そのため、情報処理ユニット２は、分析ユニット１から分析ユニット１を構成する分析装置及び／又は分析器からの出力信号を受信できる。また、情報処理ユニット２は、情報処理ユニット２において設定した分析ユニット１の設定などを、分析ユニット１に送信できる。
【００３５】
また、情報処理ユニット２には、ディスプレイが備わっている。従って、情報処理ユニット２は、分析ユニット１において分析された試料ガスのガスパラメータ、及び／又は、分析ユニット１の異常、設定、及びその他の状態などを通知するステータス情報などを、分析ユニット１から受信しディスプレイに表示できる。
【００３６】
さらに、本実施形態の情報処理ユニット２においては、分析ユニット１にて実行可能な各機能がディスプレイに一覧表示されており、現在選択されている機能が強調表示されている。そして、情報処理ユニット２においては、当該各機能が表示されているディスプレイ上の位置を指定することにより、ワンタッチにて機能が切り替え可能となっている。これにより、ガス分析システム１００を使用するユーザは、複数回ボタンを押したりすることなく、より少ない動作にてガス分析システム１００を切り替えることができる。すなわち、ガス分析システム１００の操作性を向上できる。
【００３７】
また、情報処理ユニット２は、上記のガス分析システム１００が実行可能な機能の一覧表示機能と、上記の機能の切替に応じて、表示する情報を適切に選択する機能とが備わっている。これにより、ユーザは選択された機能と、当該選択された機能を実行するにおいて必要な情報とを同時に確認できる。その結果、ガス分析システム１００に関する情報の一覧性を向上できる。
以下、情報処理ユニット２の構成の詳細について説明する。
【００３８】
（２）情報処理ユニットの構成
次に、情報処理ユニット２の構成について図２を用いて説明する。図２は情報処理ユニットの構成を示す図である。なお、図２においては、情報処理ユニット２の各部と分析ユニット１との接続関係が分かるように、分析ユニット１も併せて示してある。
情報処理ユニット２は、表示部２１と、機能選択部２３と、設定情報記憶部２５と、分析状態記憶部２７と、設定情報入力部２９と、を備える。
表示部２１は、情報処理ユニット２を構成する上記のコンピュータシステムのディスプレイに対応する。表示部２１は、表示フレームＦを表示する。表示フレームとは、ユーザに対して視覚的情報を与えるものであって、現在実行中の分析ユニット１の作業内容及び選択項目、分析ユニットの状態、及び分析結果などの各種情報をまとめて表示するフレーム（枠）のことを言う。
【００３９】
本実施形態においては、表示フレームＦには、分析ユニット１にて選択可能な作業内容及び選択項目の名称を付した機能表示領域Ｆ１−１、Ｆ１−２、・・・Ｆ１−ｎ（後述）が表示される。また、表示フレームＦにおいて、選択されている作業内容及び／又は選択項目が付された機能表示領域は、強調表示される。これにより、ユーザは、現在選択されている作業内容及び選択項目を視覚的に確認できる。
【００４０】
また、表示部２１は、設定情報記憶部２５（後述）と、分析状態記憶部２７（後述）と、信号送受信可能に接続されている。そのため、表示部２１は、表示フレームＦに、現在選択されている作業内容及び／又は設定項目に基づいて、分析状態記憶部２７に記憶された分析ユニット情報、及び／又は、設定情報記憶部２５に記憶された設定情報を表示できる。
なお、表示フレームＦの詳細については、後ほど説明する。
【００４１】
機能選択部２３は、ＯＮ状態及びＯＦＦ状態を切り替えることが可能な「仮想的な」機能選択ボタンＢ１、Ｂ２、・・・Ｂｎを有している。そして、機能選択ボタンＢ１、Ｂ２、・・・Ｂｎは、分析ユニット１にて選択可能な作業内容及び／又は選択項目と対応づけられている。これにより、機能選択部２３は、機能選択ボタンＢ１、Ｂ２、・・・ＢｎのＯＮ状態及びＯＦＦ状態を切り替えることにより、所望の作業内容及び選択項目を選択できる。
【００４２】
また、機能選択部２３は、分析ユニット１に信号送受信可能に接続されている。このため、分析ユニット１は、機能選択部２３において選択されている作業内容及び選択項目と、選択されていない作業内容及び選択項目とを（すなわち、機能選択ボタンＢ１、Ｂ２、・・・ＢｎのＯＮ状態及びＯＦＦ状態を）モニターできる。その結果、分析ユニット１は、機能選択部２３において選択されている作業内容及び選択項目を実行できる。
【００４３】
なお、ある機能選択ボタンがＯＮ状態となっているときに、必ずＯＦＦ状態となる他の機能選択ボタンがあってもよい。これにより、同時に実行不可能な分析ユニット１の作業内容及び／又は選択項目を同時に選択することがなくなる。
一方、ある機能選択ボタンがＯＮ状態となっているときに、ＯＮ状態となるか、あるいは、ＯＮ状態を保持する他の機能選択ボタンがあってもよい。これにより、同時に実行可能な分析ユニット１の作業内容及び／又は選択項目を同時に選択できる。
【００４４】
また、機能選択ボタンＢ１、Ｂ２、・・・Ｂｎは、分析ユニット１にて実行可能な機能の数だけあってもよいし、機能選択ボタンに対応づける必要がある機能の数だけ存在していてもよい。このように、機能選択ボタンＢ１、Ｂ２、・・・Ｂｎの数は、必要に応じて増減できる。
【００４５】
また、機能選択ボタンＢ１、Ｂ２、・・・Ｂｎを「仮想的」としているのは、機能選択ボタンが、押圧ボタンのような、機械的なボタンに限定されていないことを意味している。本実施形態においては、表示部２１に表示されている機能表示領域Ｆ１−１、Ｆ１−２、・・・Ｆ１−ｎ内の所定の位置を指定することにより、当該機能表示領域に名称として付された選択機能に対応する機能選択ボタンを、ＯＮ状態にできる。
【００４６】
例えば、表示部２１がタッチパネル機能付きのディスプレイである場合には、選択したい作業内容及び／又は選択項目が名称として付された機能表示領域Ｆ１−１、Ｆ１−２、・・・Ｆ１−ｎ内の所定の位置を、表示部２１の表面において指などで触れることにより、当該機能表示領域に付された選択機能に対応づけられた機能選択ボタンをＯＮ状態にできる。
【００４７】
または、表示部２１に表示されているカーソルを、マウスなどを用いて、選択したい作業内容及び／又は選択項目が名称として付された機能表示領域Ｆ１−１、Ｆ１−２、・・・Ｆ１−ｎ内の所定の位置に持って行き、マウスのボタンを押す（クリック）することによっても、当該機能表示領域に付された作業内容及び／又は選択項目に対応づけられた機能選択ボタンをＯＮ状態にできる。
【００４８】
設定情報記憶部２５は、情報処理ユニット２を構成するコンピュータシステムのＲＡＭの記憶領域の一部、及び／又は、記憶装置の記憶領域の一部に形成されている。設定情報記憶部２５は、分析ユニット１と信号送受信可能に接続されている。従って、設定情報記憶部２５は、分析ユニット１から設定情報を受信し記憶できる。また、設定情報記憶部２５は、記憶されている設定情報を分析ユニット１に送信できる。
さらに、設定情報記憶部２５は、表示部２１と信号送受信可能に接続されている。従って、設定情報記憶部２５は、記憶されている設定情報を表示部２１に送信できる。この結果、表示部２１は、設定情報記憶部２５に記憶された設定情報を、表示フレームＦ中に表示できる。
【００４９】
設定情報記憶部２５に記憶されている設定情報には、分析ユニット１の各種設定値、分析ユニット１の校正を実行する際のガス条件などの各種測定条件、及び、分析ユニット１に関する問い合わせをする際の連絡手段に関する情報、などが含まれている。
【００５０】
分析状態記憶部２７は、情報処理ユニット２を構成するコンピュータシステムのＲＡＭの記憶領域の一部、及び／又は、記憶装置の記憶領域の一部に形成されている。また、分析状態記憶部２７は、分析ユニット１と信号送受信可能に接続されている。そのため、分析状態記憶部２７は、分析ユニット１から、分析ユニット１にて出力される信号を受信できる。そして、分析状態記憶部２７は、分析ユニット１から出力された信号（出力信号）を分析ユニット情報として記憶する。
【００５１】
分析状態記憶部２７に記憶される分析ユニット情報には、分析ユニット１の故障や異常発生などの分析ユニット１の状態に関する情報、及び、分析ユニット１における試料ガスのガスパラメータ分析結果、などが含まれている。
また、分析ユニット情報は、分析ユニット１内にて、情報処理ユニット２を構成するコンピュータシステムにて扱えるデータに変換されてもよい。または、分析状態記憶部２７が、分析ユニット１からの出力信号を、情報処理ユニット２にて扱えるデータに変換し、データ変換を行った後、分析ユニット情報として記憶してもよい。
【００５２】
分析状態記憶部２７は、表示部２１と信号送受信可能に接続されている。そのため、分析状態記憶部２７は、記憶されている分析ユニット情報を、表示部２１に送信できる。その結果、表示部２１は、分析状態記憶部２７に記憶された分析ユニット情報を、表示フレームＦに表示できる。
つまり、分析状態記憶部２７は、分析ユニット１からの出力信号を分析ユニット情報として一旦記憶し、記憶した分析ユニット情報が表示部２１へ送信している。
【００５３】
設定情報入力部２９は、設定情報記憶部２５と信号送受信可能に接続されている。そのため、設定情報入力部２９は、設定情報入力部２９の文字入力手段により受け付けたユーザによる入力に従って、設定情報記憶部２５に新たな設定情報を設定できる。
【００５４】
設定情報入力部２９は、表示部２１がタッチパネル機能付きディスプレイである場合には、表示部２１に表示される入力手段画像が占める領域に対応したタッチパネルの領域を上記の文字入力手段として形成できる。この場合、表示部２１には、設定情報入力部２９にて入力可能な文字のリストが、文字入力手段画像として表示されている。そして、ユーザは、入力したい文字が表示されている領域に対応するタッチパネルの領域を指などで触れることにより文字を入力し、新たな設定情報を入力できる。
【００５５】
また、設定情報入力部２９の文字入力手段は、情報処理ユニット２を構成するコンピュータシステムのキーボード及び／又はマウスなどの入力手段により構成されていてもよい。この場合、ユーザは、キーボード及び／又はマウスを操作することにより文字を入力し、新たな設定情報を入力できる。
【００５６】
なお、設定情報記憶部２５は、設定情報入力部２９により新たな設定情報が入力された場合には、当該新たな設定情報を表示部２１に送信する。その結果、表示フレームＦには、常に新たな設定情報が表示される。
【００５７】
（３）表示フレームの構成
３−１．全体構成
次に、表示部２１に表示される表示フレームＦの全体構成について、図３Ａを用いて説明する。図３Ａは、選択機能として分析実行機能が選択された際の表示フレームの表示状態を示す図である。
以下に示す表示フレームＦ中の表示は、ウィンドウシステムの機能の１つである「タブ機能」を用いて行われている。以下に示す機能選択結果表示フィールドＦ１中の機能表示領域は、「タブ機能」においては、「タブ」に対応する。一方、以下に示す入出力情報表示フィールドＦ２は、タブに対応づけられている表示領域に対応する。
従って、機能表示領域と入出力情報表示フィールドＦ２に表示される内容とは対応づけられている。
表示フレームＦは、機能選択結果表示フィールドＦ１と、入出力情報表示フィールドＦ２と、ステータス表示フィールドＦ３と、を主に有する。
【００５８】
機能選択結果表示フィールドＦ１は、表示フレームＦ中において、主に、ステータス表示フィールドＦ３（後述）と入出力情報表示フィールドＦ２（後述）との間に配置されている。
機能選択結果表示フィールドＦ１は、作業内容及び選択項目の名称が付された機能表示領域を有している。図３Ａに示す例においては、１２個の機能表示領域Ｆ１−１、Ｆ１−２、・・・Ｆ１−１２が存在している。これにより、ユーザは、分析ユニット１にてどの作業内容及び／又は設定項目が選択可能であるかを視覚的に確認できる。
なお、機能選択結果表示フィールドＦ１及び機能表示領域Ｆ１−１、Ｆ１−２、・・・Ｆ１−１２の詳細については、後ほど説明する。
【００５９】
入出力情報表示フィールドＦ２は、表示フレームＦの略中央部に配置されており、表示フレームＦの大部分の領域を占めている。これにより、入出力情報表示フィールドＦ２は、ユーザの視覚に入りやすくなっている。
【００６０】
入出力情報表示フィールドＦ２には、設定情報記憶部２５に記憶されている設定情報、及び／又は、分析状態記憶部２７に記憶されている分析ユニット情報が表示されている。入出力情報表示フィールドＦ２に表示される内容は、現在選択されている作業内容及び／又は選択項目に基づいて決められている。すなわち、表示部２１は、現在選択されている作業内容及び／又は選択項目に基づいて、入出力情報表示フィールドＦ２に表示する内容を、設定情報記憶部２５に記憶されている設定情報、及び、分析状態記憶部２７に記憶されている分析ユニット情報の中から選択している。
【００６１】
このように、入出力情報表示フィールドＦ２には、現在選択されている作業内容及び／又は選択項目に応じて、適切な情報が表示される。これにより、表示フレームＦにおける情報の一覧性を向上できる。
なお、入出力情報表示フィールドＦ２の詳細は後ほど説明する。
【００６２】
ステータス表示フィールドＦ３は、表示フレームＦの最上部に配置される。ステータス表示フィールドＦ３には、現在日時、現在のガス分析システム１００の状態、及び、現在の試料ガスのサンプリング箇所などの情報を表示している。
上記のようなステータス表示フィールドＦ３が表示されることにより、ガス分析システム１００の状態などを参照及び理解しやすくなる。
【００６３】
３−２．機能選択結果表示フィールド
次に、機能選択結果表示フィールドＦ１についてさらに説明する。
機能選択結果表示フィールドＦ１は、１以上のサブ機能選択結果表示フィールドＦ１０１、Ｆ１０２、・・・Ｆ１０ｍにより構成されている。
１以上のサブ機能選択結果表示フィールドのうち、サブ機能選択結果表示フィールドＦ１０１には、ガス分析システム１００にて選択可能な作業内容の名称が付された機能表示領域が存在している。本実施形態においては、上記の作業内容の名称が付された８つの機能表示領域（本実施形態においては、Ｆ１−１、Ｆ１−２、・・・Ｆ１−８）がサブ機能選択結果表示フィールドＦ１０１に存在する。
作業内容の名称が付された機能表示領域Ｆ１−１、Ｆ１−２、・・・Ｆ１−８が存在するサブ機能選択結果表示フィールドＦ１０１のことを、第１機能選択結果表示フィールドと呼ぶことにする。
【００６４】
なお、第１機能選択結果表示フィールドＦ１０１は、表示フレームＦが表示されている間（すなわち、ガス分析システム１００が動作している間）、常に表示される。なぜなら、上記の８つの作業内容は、ガス分析システム１００においては、実行頻度が高い、又は、重要度が高い作業内容だからである。
【００６５】
本実施形態においては、図３Ａに示すように、第１機能選択結果表示フィールドＦ１０１に表示される機能表示領域Ｆ１−１〜Ｆ１−８のそれぞれには、「Ｓａｍｐｌｉｎｇ」、「Ｃａｌｉｂｒａｔｉｏｎ」、「ＣＧＡ  Ａｕｄｉｔ」、「Ｂｉａｓ  Ｔｅｓｔ」、「Ｌｏｇ」、「Ｂｌｏｗ  Ｂａｃｋ」、「Ｓｅｔｔｉｎｇ」、及び、「Ｃｏｎｔａｃｔ」が名称として付されている。
【００６６】
「Ｓａｍｐｌｉｎｇ」は分析実行作業の名称である。この名称が付された機能表示領域Ｆ１−１が強調表示（後述）されていると、作業内容として分析実行作業が選択されており、分析ユニット１において試料ガスのガスパラメータの分析が実行されている。
【００６７】
「Ｃａｌｉｂｒａｔｉｏｎ」は校正実行作業の名称である。この名称が付された機能表示領域Ｆ１−２が強調表示されていると、作業内容として校正実行作業が選択されており、分析ユニット１において、分析ユニット１に備わるセンサーなどの校正が実行されている。
【００６８】
「ＣＧＡ  Ａｕｄｉｔ」及び「Ｂｉａｓ  Ｔｅｓｔ」は、それぞれ、第１の試験実行作業、及び、第２の試験実行作業の名称である。これらの名称が付された機能表示領域Ｆ１−３又はＦ１−４が強調表示されていると、作業内容として第１の試験実行作業又は第２の試験実行作業が選択されいる。これらの作業においては、各国毎に定められている試験が実行されている。
【００６９】
「Ｌｏｇ」は、履歴表示作業の名称である。この名称が付された機能表示領域Ｆ１−５が強調表示されていると、作業内容として履歴表示作業が選択されており、保存されている分析ユニット１の履歴が表示されている。
【００７０】
「Ｂｌｏｗ  Ｂａｃｋ」はつまり除去作業の名称である。この名称が付された機能表示領域Ｆ１−６が強調表示されていると、作業内容としてつまり除去作業が選択されており、分析ユニット１において、分析ユニット１のフィルターや配管などのつまりを除去する作業が実行されている。
【００７１】
「Ｓｅｔｔｉｎｇ」は設定作業の名称である。この名称が付された機能表示領域Ｆ１−７が強調表示されていると、作業内容として設定機能が選択されており、分析ユニット１の各種設定作業が実行されている。
【００７２】
「Ｃｏｎｔａｃｔ」は、トラブル等が発生したときの連絡先と連絡手段を表示する作業（連絡先表示作業）の名称である。この名称が付された機能表示領域Ｆ１−８が強調表示されていると、作業内容として連絡先表示機能が選択されており、表示フレームＦにトラブルの際の連絡先と連絡手段などが表示される。
【００７３】
このように、ガス分析システム１００において選択可能な作業内容の名称を付した機能表示領域Ｆ１−１、Ｆ１−２、・・・Ｆ１−８を第１機能選択結果表示フィールドＦ１０１に常に表示することにより、ユーザは、使用頻度が高かったり重要度が高かったりする所望の作業内容を素早く見つけることができる。そして、対応する機能表示領域を指定するだけで、所望の作業内容が選択可能となる。その結果、ユーザによる操作性を向上できる。
【００７４】
一方、その他のサブ機能選択結果表示フィールドＦ１０２、・・・Ｆ１０ｍは、現在選択されている作業内容により、表示されたり表示されなかったりする。また、サブ機能選択結果表示フィールドＦ１０２、・・・Ｆ１０ｍの機能表示領域に表示される名称は、上記の作業内容ごとに決定されている。
すなわち、サブ機能選択結果表示フィールドＦ１０２、・・・Ｆ１０ｍには、上記の作業内容に関連付けられている選択項目が表示される。また、選択項目が関連付けられていない作業内容が選択された場合には、サブ機能選択結果表示フィールドＦ１０２、・・・Ｆ１０ｍは表示されない。
本実施形態においては、選択項目が関連付けられていない作業内容は、つまり除去作業のみであり、他の作業内容については、関連項目が関連付けられている。
【００７５】
従って、後述するように、作業内容としてつまり除去作業が選択された場合には、サブ機能選択結果表示フィールドＦ１０２、・・・Ｆ１０ｍは表示されていない。一方、他の作業内容が選択されている場合には、サブ機能選択結果表示フィールドＦ１０２、・・・Ｆ１０ｍは表示されている。
【００７６】
上記の選択項目の名称を付した機能表示領域を表示するサブ機能選択結果表示フィールドＦ１０２、・・・Ｆ１０ｍのことを、第２機能選択結果表示フィールドと呼ぶこととする。
【００７７】
例えば、図３Ａに示すように、第１機能選択結果表示フィールドＦ１０１において、「Ｓａｍｐｌｉｎｇ」の名称として付された機能表示領域Ｆ１−１が強調表示された場合（すなわち、分析実行作業が作業内容として選択された場合）、２つの第２機能選択結果表示フィールドＦ１０２及びＦ１０３が表示される。
【００７８】
そして、第２機能選択結果表示フィールドＦ１０２には、「Ｃｏｎｃｅｎｔｒａｔｉｏｎ」との名称が付された機能表示領域Ｆ１−９と、「Ａｎａｌｏｇ  Ｉｎｐｕｔ」との名称が付された機能表示領域Ｆ１−１０と、の２つの機能表示領域が表示されている。
例えば、「Ｃｏｎｃｅｎｔｒａｔｉｏｎ」との名称が付された機能表示領域Ｆ１−９が強調表示されている場合、分析実行作業に関連付けられた「各成分ガスの濃度を表示」という選択項目が、選択項目として選択されている。従って、分析実行作業の中でも、試料ガス中の各成分の濃度を表示する作業が実行されてしていることが、１の表示フレームＦ上で目視できる。これにより、表示される情報の一覧性が向上する。
【００７９】
また、第２機能選択結果表示フィールドＦ１０３には、「Ｓｔａｔｕｓ」との名称が付された機能表示領域Ｆ１−１１と、「Ａｎａｌｏｇ  Ｉｎｐｕｔ」との名称が付された機能表示領域Ｆ１−１２と、２つの機能表示領域が表示されている。これらの機能表示領域のいずれかが強調表示されている場合、上記と同様、これらの機能表示領域に対応する選択項目が選択されていることを１の表示フレーム上で目視できる。
【００８０】
一方、図３Ｂに示すように、つまり除去作業が選択された場合（「Ｂｌｏｗ  Ｂａｃｋ」との名称が付された機能表示領域Ｆ１−５が強調表示された場合）、第２機能選択結果表示フィールドは表示されていない。これは、つまり除去作業には、関連付けられた選択項目が存在しないことを意味している。図３Ｂは、つまり除去作業を選択機能として選択した場合の表示フレームの表示状態を示す図である。
【００８１】
このように、第２機能選択結果表示フィールドは、選択された作業内容に選択項目が関連付けられている場合に表示される。ただし、本実施形態においては、複数の作業内容の少なくとも１つは、選択項目と関連付けられている（例えば、上記の分析実行作業を作業内容として選択した場合）。
これにより、選択された作業内容に関連付けられた選択項目があるかどうかをすぐに確認できる。そして、関連付けられた選択項目以外を誤って選択することを抑制できる。
【００８２】
その他、図３Ｃ〜図３Ｈに示すように、選択された作業内容により、表示される第２機能選択結果表示フィールドの数は０から４までの範囲にて変化し、第２機能選択結果表示フィールドに表示される機能表示領域の数は２から９までの範囲にて変化する。
図３Ｃは、校正実行作業を選択した場合の表示フレームＦの表示状態を示す図である。図３Ｄは、連絡先表示作業を選択した場合の表示フレームＦの表示状態を示す図である。図３Ｅは、設定作業を選択した場合の表示フレームＦの表示状態を示す図である。図３Ｆは、履歴表示作業を選択した場合の表示フレームＦの表示状態を示す図である。図３Ｇは、第１の試験実行作業を選択した場合の表示フレームＦの表示状態を示す図である。図３Ｈは、第２の試験実行作業を選択した場合の表示フレームＦの表示状態を示す図である。
【００８３】
このように、使用頻度の高い機能又は重要度の高い機能である作業内容の名称を付した機能表示領域を有する第１機能選択結果表示フィールドＦ１０１は常に表示しておく一方、第２機能選択結果表示フィールド（中の機能表示領域）は選択された作業内容に応じて、１の表示フレームＦ上に表示し又は非表示にすることにより、必要な選択項目だけを適切に選択し表示できる。その結果、表示フレームＦの表示の一覧性が向上する。
【００８４】
また、第１機能選択結果表示フィールドＦ１０１と、必要に応じて第２機能選択結果フィールドとが１の表示フレームＦに表示されることにより、基本選択機能の選択と、基本選択に関連づけられた選択項目の選択とを、一目で確認しながら実行できる。
【００８５】
３−３．機能表示領域
次に、機能選択結果表示フィールドＦ１中に表示される機能表示領域の構成について、図３Ａの表示フレームＦを例にとって説明する。機能表示領域Ｆ１−１、Ｆ１−２、・・・Ｆ１−１２は、「タブ機能」においては、「タブ」に対応する。
【００８６】
上記のように、機能表示領域Ｆ１−１、Ｆ１−２、・・・Ｆ１−１２のそれぞれには、機能選択部２３の機能選択ボタンＢ１、Ｂ２、・・・Ｂ１２が対応づけられている。そして、本実施形態においては、機能表示領域Ｆ１−１、Ｆ１−２、・・・Ｆ１−１２の所定の位置を指定することにより、複数の機能表示領域の中から特定の機能表示領域を選択できる。
【００８７】
従って、機能表示領域内の所定の位置を指定して機能表示領域を特定することにより、特定された機能表示領域に対応する機能選択ボタンをＯＮ状態とできる。その結果、機能表示領域内の所定の位置を指定して機能表示領域を特定することにより、特定された機能表示領域に付された名称の作業内容及び選択項目を分析ユニット１において実行及び選択できる。
【００８８】
また、図３Ａに示すように、機能選択結果表示フィールドＦ１中のいくつかの機能表示領域には色が付され、当該機能表示領域内の文字色は反転（例えば、黒色から白色へ）している。このような状態の機能表示領域を、「強調表示された機能表示領域」と呼ぶことにする。
【００８９】
本実施形態では、機能表示領域を強調表示することにより、強調表示された機能表示領域に示された作業内容及び選択項目が、現在選択されている作業内容及び選択項目であることを示すようにしている。このように、現在選択されている作業内容及び選択項目の名称が付された機能表示領域を強調表示することにより、ガス分析システム１００を使用しているユーザは、現在分析ユニット１が実行中の作業内容及び選択項目を視覚的に確認できる。
なお、機能表示領域の強調表示の方法は、上記の方法に限られず、ガス分析システム１００を使用しているユーザに、選択されている機能表示領域が目視できる方法であれば、様々な強調表示方法を用いることができる。
【００９０】
３−４．入出力情報表示フィールド
次に、入出力情報表示フィールドＦ２の構成について説明する。入出力情報表示フィールドＦ２には、設定情報記憶部２５に記憶された設定情報、及び／又は、分析状態記憶部２７に記憶された分析ユニット情報が、選択されている作業内容及び／又は設定項目に基づいて表示される。
【００９１】
図３Ａにおいて、分析実行作業が作業内容として選択され、試料ガス中の各成分の濃度を表示する選択項目が選択されている（図３Ａ中の「Ｃｏｎｃｅｎｔｒａｔｉｏｎ」との名称が付された機能表示領域Ｆ１−９が強調表示（後述）されている）。
そのため、入出力情報表示フィールドＦ２には、文字の表示を行う文字表示領域Ｆ２−１のみが存在する。文字表示領域Ｆ２−１は、特に、ユーザにより操作されない情報を表示するときに用いられる。ユーザにより操作されない情報としては、例えば、分析ユニット情報、及び／又は、設定情報のうち変更不可能（あるいは変更禁止）な設定値などがある。
【００９２】
図３Ａに示す表示フレームＦにおいては、文字表示領域Ｆ２−１には、試料ガス中の各成分（図３Ａにおいては、窒素酸化物（ＮＯｘ）、二酸化硫黄（ＳＯ２）、一酸化炭素（ＣＯ）、二酸化炭素（ＣＯ２）、酸素（Ｏ２）、アンモニア（ＮＨ３））の濃度と、各成分の濃度の測定レンジ、及び、酸素濃度換算値（後述）が表示されている。
【００９３】
また、「Ｓｔａｔｕｓ」との名称が付された機能表示領域Ｆ１−１２が強調表示されている。これは、入出力情報表示フィールドＦ２の「Ｓｔａｔｕｓ」の欄に、分析ユニット１の状態を表示する機能が選択項目として選択されていることを意味している。現在は、表示内容がないため、入出力情報表示フィールドＦ２中の「Ｓｔａｔｕｓ」の欄には何も表示されていない。
【００９４】
一方、校正実行作業が作業内容として選択された場合の表示フレームＦ（図３Ｃを参照）においては、入出力情報表示フィールドＦ２中の「Ｂｏｔｔｌｅ」との名称が付された行であり、かつ、「Ｓｐａｎ」との名称が付された列に対応する位置において、四角形状に囲まれた文字入力領域Ｆ２−２が配置されている。
【００９５】
文字入力領域Ｆ２−２には、文字を直接入力可能である。従って、文字入力領域Ｆ２−２は、例えば、テキストボックスである。ユーザは、文字入力領域Ｆ２−２を指定することにより、設定情報入力部２９を用いて文字の直接入力が可能となる。そして、入力された文字（列）は、設定情報記憶部２５に設定情報として記憶される。その後、入出力情報表示フィールドＦ２中の文字入力領域Ｆ２−２に表示される。
【００９６】
さらに、設定作業が作業内容として選択された場合の表示フレームＦ（図３Ｅを参照）においては、入出力情報表示フィールドＦ２に、正方形領域にて示されたチェックボックス領域Ｆ２−３と、四角形状の囲みの右端に下向き三角が付されたボタンを備えるリスト表示領域Ｆ２−４と、が表示されている。
【００９７】
チェックボックス領域Ｆ２−３は、設定情報入力部２９により（例えば、当該領域を指定してタッチ入力又はマウスのクリックなどにより）、チェックボックス領域Ｆ２−３に付された名称の設定の有効及び無効を切り替えることが可能である。従って、チェックボックス領域Ｆ２−３は、例えば、チェックボックスである。
チェックボックス領域Ｆ２−３の正方形領域にチェックマークが付されていたら、設定が有効であることを意味し、チェックマークが付されていないときは設定が無効であることを意味している。チェックボックス領域Ｆ２−３における設定の有効又は無効は、上記の文字入力領域Ｆ２−２において説明したのと同様、設定情報記憶部２５に設定情報として記憶される。
【００９８】
リスト表示領域Ｆ２−４は、設定情報入力部２９により、右端の下向き三角が付された領域を指定する（例えば、右端の下向き三角が付された領域を、タッチ入力又はマウスのクリックなどにより指定する）と、図３Ｉのように、文字列がリスト表示される。図３Ｉに示す例においては、表示されているリストは、試料ガスの燃焼に用いた燃料の候補（候補燃料）（後述）である。図３Ｉは、設定機能を選択時に候補燃料のリストを表示したときの表示フレームＦの表示状態を示す図である。
【００９９】
リスト表示領域Ｆ２−４においては、リスト表示されている文字列の中から１つを指定（当該文字列が表示されている箇所をタッチ入力またはクリック）することにより、当該文字列に対応づけられた設定値が、設定情報として設定情報記憶部２５に記憶される。
従って、リスト表示領域Ｆ２−４は、例えば、ドロップダウンリストである。
【０１００】
このように、現在選択されている作業内容及び／又は選択項目に基づいて、文字表示領域Ｆ２−１、文字入力領域Ｆ２−２、チェックボックス領域Ｆ２−３、及びリスト表示領域Ｆ２−４などを入出力情報表示フィールドＦ２中において適切に配置することにより、表示フレームＦの一覧性が向上する。
【０１０１】
（４）ガス分析システムの動作
４−１．ガス分析システムの初期動作
次に、ガス分析システム１００の動作について図４を用いて説明する。図４はガス分析システムの動作を示すフローチャートである。
ガス分析システム１００の動作が開始されると、まず、表示部２１に表示フレームＦが表示される（ステップＳ１）。これにより、ユーザは、ガス分析システム１００に関する視覚的情報を与えられる。
なお、ガス分析システム１００の動作が開始されたときに選択されている作業内容は、予め決められた作業内容であってもよいし、又は、前回のガス分析システム１００の動作終了の直前に選択されていた作業内容であってもよい。
ステップＳ１においては、表示フレームＦには、上記のいずれかの作業内容に対応した表示がなされる。
【０１０２】
次に、表示フレームＦの第１機能選択結果表示フィールドＦ１０１に表示されている機能表示領域Ｆ１−１、Ｆ１−２、・・・Ｆ１−８に付されている名称を参照することにより、所望の作業内容が選択される（ステップＳ２）。
【０１０３】
ステップＳ２おいては、次のようにして、所望の作業内容が選択される。
まず、第１機能選択結果表示フィールドＦ１０１内の選択したい作業内容の名称が付されている機能表示領域内の所定の位置が、指などによるタッチ入力、又は、マウスを用いて指定される。これにより、所望の作業内容を名称として付された機能表示領域が特定される。
【０１０４】
このとき、機能選択部２３において、特定された機能表示領域に対応づけられた機能選択ボタンがＯＮ状態となる。すなわち、機能選択部２３において、所望の作業内容に対応した機能選択ボタンがＯＮ状態となる、これにより、所望の作業内容が有効となる。
そして、所望の作業内容が有効となると同時に、機能選択部２３は、表示部２１に対して、所望の作業内容の名称が付された機能表示領域を強調表示するように指令する。これにより、所望の作業内容の名称が付された（つまり、選択された作業内容の名称が付された）機能表示領域が強調表示される。
その結果、ユーザは、所望の作業内容がガス分析システム１００内において選択されたことを視覚的に確認できる。
【０１０５】
また、特定の作業内容が選択されると、機能表示領域が強調表示されるとともに、入出力情報表示フィールドＦ２の表示内容が、選択された作業内容に関連づけられた選択項目の選択状態に応じて変化する。これにより、ユーザは、作業内容ごとに適切に選択された情報を視覚的に確認できる。
次に、第２機能選択結果表示フィールドＦ１０２、Ｆ１０３、・・・Ｆ１０ｍが表示されている場合には、第２機能選択結果表示フィールドＦ１０２、Ｆ１０３、・・・Ｆ１０ｍに表示されている機能表示領域を指定することにより、所望の選択項目を選択する。
【０１０６】
ステップＳ２において、所望の作業内容及び／又は選択項目を選択することにより、選択された作業内容及び／又は選択項目に応じて、ガス分析システム１００は動作する。本実施形態においては、ユーザが選択可能な作業内容は、分析実行作業、校正実行作業、設定作業、連絡先表示作業、履歴表示作業、つまり除去作業、第１の試験実行作業、第２の試験実行作業である。
【０１０７】
ステップＳ２において、作業内容及び／又は選択項目が選択された後、情報処理ユニット２は、ガス分析システム１００の動作の停止が指令されたかどうかを確認する（ステップＳ３）。例えば、システム停止ボタンＦ４（図３Ａ、後述）が指定されることにより、ガス分析システム１００の動作を停止できる。
【０１０８】
ガス分析システム１００の停止が指令された場合（ステップＳ３において「Ｙｅｓ」の場合）、ガス分析システム１００の動作は停止する。
一方、ガス分析システム１００の停止の指令がなされていない場合（ステップＳ３において「Ｎｏ」の場合）、ステップＳ２に戻り、ガス分析システム１００の動作は継続する。
【０１０９】
これにより、ガス分析システム１００は、動作の停止の指令を受けない限り、動作を継続できる。以下、ステップＳ２において、上記の各作業内容が選択された際の動作について説明する。
【０１１０】
４−２．各作業内容が選択された際のガス分析システムの動作
以下、上記の各作業内容が選択された際のガス分析システム１００の動作を説明していく。なお、本実施形態の情報処理ユニット２において、以下の各作業内容は、同時に実行可能な作業については、同時に実行されていてもよい。
すなわち、作業内容及び／又は選択項目が変更されて、表示フレームＦの表示状態が変化したとしても、情報処理ユニット２内部において実行が継続される作業内容が存在していてもよい（マルチタスク動作、バックグラウンド動作）。これにより、実行を継続する必要な作業内容を、表示フレームＦに表示していない場合でも実行できる。
【０１１１】
（ｉ）分析実行作業の実行時の動作
作業内容として、分析実行作業が選択された場合（ステップＳ２において「分析実行作業」が選択された場合）、第１機能選択結果表示フィールドＦ１０１の機能表示領域Ｆ１−１が強調表示され、入出力情報表示フィールドＦ２の表示内容が、図３Ａに示すように変化する（ステップＳ３１）。そして、ステップＳ３２に進む。
図３Ａに示すように、第２機能選択結果表示フィールドＦ１０２において機能表示領域Ｆ１−９が強調表示され、各成分の濃度を表示する選択項目が選択されている場合、入出力情報表示フィールドＦ２には、試料ガスの所定成分の各ガスパラメータが表示される。
したがって、ステップＳ３２においては、まず、情報処理ユニット２は、分析ユニット１において測定された各所定成分の各ガスパラメータを、分析ユニット１から取得する。
【０１１２】
具体的には、情報処理ユニット２は、所定の周期にて、分析ユニット１に対して、試料ガスのガスパラメータの分析結果と、分析ユニット１の状態に関する情報とを含む分析ユニット情報を送信するよう指令する。
分析ユニット１から上記の分析ユニット情報が送信されると、当該分析ユニット情報は、分析状態記憶部２７に記憶される。
【０１１３】
そして、表示部２１が、分析状態記憶部２７に記憶された分析ユニット情報から、測定されたガスパラメータを各所定成分ごとに抽出し、入出力情報表示フィールドＦ２の所定の箇所に抽出したガスパラメータを表示する。
図３Ａに示す例においては、各所定成分（図３Ａにて示す例においては、ＮＯｘ、ＳＯ２、ＣＯ、ＣＯ２、Ｏ２、及びＮＨ３）の濃度（Ｒａｗ）と、酸素濃度換算値（％Ｏ２）と、測定レンジ（Ｒａｎｇｅ）とが表示されている。
【０１１４】
各所定成分の濃度の表示箇所には、分析ユニット情報に含まれている各所定成分のガスパラメータに示されている値をそのまま表示する。また、測定レンジの表示箇所には、設定されている測定レンジを表示する。
【０１１５】
酸素濃度換算値の表示箇所には、後述する設定機能において、試料ガスを発生させた燃焼において用いられた候補燃料を選択して設定された換算濃度基準値を用いて、以下の式から算出される。
Ｃ＝（Ｏａ−Ｏｋ）／（Ｏａ−Ｏｓ）×ＲＡＷ
上記の式において、Ｃは酸素濃度換算値、Ｏａは大気中の酸素濃度（＝２１％）、Ｏｋは換算濃度基準値、Ｏｓは試料ガス中の酸素濃度、ＲＡＷは分析ユニット情報に含まれている所定成分のガス濃度（すなわち、実測値）である。なお、後述するように、換算濃度基準値Ｏｋは、設定作業において候補燃料を選択することにより値を設定できる。
【０１１６】
また、表示部２１は、分析状態記憶部２７に記憶されている分析ユニット情報から、試料ガスのその他のガスパラメータを抽出する。そして、表示部２１は、上記の各所定成分の濃度が表示されている領域の下（図３Ａにおいて「Ｅｘｔｅｒｎａｌ  Ｉｎｐｕｔ」と付された領域）に、試料ガスの他のガスパラメータの測定結果を表示する。
【０１１７】
さらに、図３Ａに示すように、第２機能選択結果表示フィールドＦ１０３において、機能表示領域Ｆ１−１１が強調表示され、分析ユニット１の状態を表示する選択項目が選択されていることが分かる。従って、情報処理ユニット２は、分析状態記憶部２７に記憶されている分析ユニット情報から、分析ユニット１の状態に関する情報を抽出する。そして、表示部２１は、入出力情報表示フィールドＦ２の右側に設けられた領域（図３Ａにおいて「Ｓｔａｔｕｓ」と付された領域）に、分析ユニット１の現在の状態を表示する。
【０１１８】
このように、作業内容として分析実行作業が選択されたときに、図３Ａに示すような試料ガスのガスパラメータ分析結果、及び、分析ユニット１の状態を１の表示フレームＦに表示することにより、ユーザにとって、情報の一覧性が向上する。
【０１１９】
なお、作業内容として分析実行作業が選択されているとき、表示フレームＦの左側下部に設定された領域に、システム停止ボタンＦ４と、オゾン発生器運転停止ボタンＦ５と、実行モード選択ボタンＦ６と、安全レベル設定ボタンＦ７と、が表示されている。
【０１２０】
システム停止ボタンＦ４が指定（タッチ入力又はクリック）されると、ガス分析システム１００の動作が停止する。そして、表示フレームＦは、表示部２１から消える。なお、本実施形態においては、システム停止ボタンＦ４は、作業内容として分析実行作業が選択されているときに表示される。
【０１２１】
オゾン発生器運転停止ボタンＦ５が指定されると、分析ユニット１中にＣＬＤ法を用いたガス濃度測定器が備わっている場合に、ＣＬＤ法を用いたガス濃度測定器のオゾン発生器が動作を開始又は停止する。従って、分析ユニット１にＣＬＤ法を用いたガス濃度測定器が備わっている場合には、オゾン発生器運転停止ボタンＦ５を指定して、オゾン発生器（図示せず）を動作させる。
【０１２２】
実行モード選択ボタンＦ６が指定されると、ガス分析システム１００の保守作業を実行するか、又は、ガス分析システム１００において試料ガスの分析作業を実行するかが選択される。
安全レベル設定ボタンＦ７が指定されると、ガス分析システム１００を使用するユーザの熟練度及び／又はユーザ種類が設定される。ユーザの熟練度やユーザ種類を選択することにより、機能選択結果表示フィールドＦ１及び入出力情報表示フィールドＦ２に表示される内容を適宜選択できる。
【０１２３】
さらに、表示フレームＦの下部右側には、アラーム表示ボタンＦ８と、入力手段表示ボタンＦ９と、が表示されている。アラーム表示ボタンＦ８が指定されると、ガス分析システム１００において現在発生している警報などのアラーム情報が表示される。
【０１２４】
入力手段表示ボタンＦ９が指定されると、表示部２１に入力手段（例えば、キーボード）の画像が表示される。表示部２１に表示される入力手段は、表示部２１がタッチパネル機能付きのディスプレイにより構成されている場合において、入力手段が表示されている領域に対応する領域のタッチパネル表面を指などで触れることにより、情報処理ユニット２において文字の入力が可能となる。
これにより、情報処理ユニット２にキーボードなどが備えられていない場合であっても、情報処理ユニット２において文字を入力できる。
【０１２５】
なお、上記のアラーム表示ボタンＦ８と、入力手段表示ボタンＦ９とは、どの作業内容が選択されても、表示フレームＦの同一位置に常に表示されている。
【０１２６】
（ｉｉ）校正実行作業の実行時の動作
作業内容として、校正実行作業が選択された場合（ステップＳ２において「校正実行作業」が選択された場合）、第１機能選択結果表示フィールドＦ１０１の機能表示領域Ｆ１−２が強調表示されて、入出力情報表示フィールドＦ２の表示内容は、図３Ｃに示すように変化する（ステップＳ４１）。そして、ステップＳ４２に進む。
ステップＳ４２においては、分析ユニット１に備わるセンサーなどの校正が実行される。
【０１２７】
そのため、まず、機能選択結果表示フィールドＦ１の第２機能選択結果表示フィールドＦ１０２においては、選択項目として、自動校正を実行するか、手動による校正を実行するかが選択される。次に、第２機能選択結果表示フィールドＦ１０３においては、どの位置に配置された分析ユニット１の分析装置に対して校正を実行するかが選択項目として選択される。なお、本実施形態においては、分析ユニット１の分析装置は、第１の配置箇所、第２の配置箇所、第３の配置箇所に設置されている。
【０１２８】
さらに、第２機能選択結果表示フィールドＦ１０４においては、分析ユニット１に複数種類の分析装置（分析器）が備わっている場合には、どの分析装置又は分析器に対して校正を実行するかが選択項目として選択される。また、第２機能選択結果表示フィールドＦ１０５においては、どの所定成分（対象ガス）に対して校正が実行されるかが選択項目として選択される。
【０１２９】
このように、本実施形態のガス分析システム１００においては、作業内容（の名称を付した機能表示領域）が第１機能選択結果表示フィールドＦ１０１に、作業内容に関連づけられた選択項目（の名称を付した機能表示領域）を必要に応じて第２機能選択結果表示フィールドＦ１０２、Ｆ１０３、・・・Ｆ１０ｍに表示することにより、１の表示フレームＦ上に作業内容と選択項目とを同時に表示できる。その結果、ユーザにとっては、情報の一覧性が向上する。また、１の表示フレームＦ内において作業内容と選択項目とを両方視認しながら、対応する機能表示領域を指定するだけで所望の作業内容及び／又は選択項目を選択できる。その結果、ユーザ操作の操作性が向上する。
【０１３０】
次に、入出力情報表示フィールドＦ２の文字入力領域Ｆ２−２を用いて、設定情報入力部２９により、分析ユニット１のスパン校正を実行する濃度を設定する。図３Ｃに示す例においては、分析ユニット１の狭い測定レンジ（１０．００ｐｐｍ）におけるスパン校正を実行する濃度と、広い測定レンジ（１００．０ｐｐｍ）におけるスパン校正を実行する濃度とを設定する。なお、設定情報には、ゼロ校正を行うための濃度も含まれているが、本実施形態においては、０ｐｐｍに設定されている。
【０１３１】
そして、表示フレームＦに表示されている設定内容を確認し、適用ボタンＦ２−５を指定して、設定した設定値を有効化する。適用ボタンＦ２−５は、設定情報を有効化するためのボタンである。
ここで、設定値又は条件などを「有効化する」とは、設定情報入力部２９により新たな設定値が入力された結果、設定情報記憶部２５に記憶されている設定情報が新たな設定情報になったときに、当該新たな設定情報を分析ユニット１に送信することを言う。
【０１３２】
なお、作業内容として校正実行作業が選択されているとき、表示フレームＦの下部右端には、校正時アラーム表示ボタンＦ１０と、実行ボタンＦ１１と、が表示されている。校正時アラーム表示ボタンＦ１０は、校正時に発生したエラーなどの情報を表示するためのボタンである。実行ボタンＦ１１は、分析ユニット１の校正を実行するためのボタンである。
【０１３３】
従って、上記の新たな設定情報を有効化した後、実行ボタンＦ１１を指定することにより、設定情報記憶部２５に記憶された（新たな）設定情報に基づいて、分析ユニット１の校正（ゼロ校正とスパン校正）が実行される。
【０１３４】
このようにして校正実行作業を実行中、情報処理ユニット２は、分析ユニット１から分析ユニット情報を受信し、受信した分析ユニット情報を分析状態記憶部２７に記憶する。そして、分析状態記憶部２７に記憶された分析ユニット情報が、入出力情報表示フィールドＦ２に表示される。このとき、分析ユニット情報には、スパン校正の実行結果と、ゼロ校正の実行結果とを含んでいる。従って、入出力情報表示フィールドＦ２には、スパン校正の実行結果と、ゼロ校正の実行結果とが表示されている。
【０１３５】
このように、校正実行作業の実行時に、１の表示フレームＦに、対象ガスと、校正を行う際の対象ガスのガス濃度と、分析ユニット１における校正結果が表示されることにより、ユーザは、１の表示フレームＦにおいて、上記の情報を一度に確認できる。その結果、ユーザにとって情報の一覧性が向上する。
【０１３６】
（ｉｉｉ）設定作業の実行時の動作
作業内容として、設定作業が選択された場合（ステップＳ２において「設定作業」が選択された場合）、第１機能選択結果表示フィールドＦ１０１の機能表示領域Ｆ１−７が強調表示されて、入出力情報表示フィールドＦ２の表示内容が、図３Ｅに示すように変化する（ステップＳ５１）。そして、ステップＳ５２に進む。
ステップＳ５２においては、まず、第２機能選択結果表示フィールドＦ１０２及びＦ１０３中の機能表示領域Ｆ１−１３〜Ｆ１−２３のいずれかが指定されて、設定種類が選択項目として選択される。図３Ｅに示す例においては、機能表示領域Ｆ１−１３が強調表示されており、選択項目としては、一般的な事項の設定（Ｇｅｎｅｒａｌ）が選択されている。
【０１３７】
図３Ｅに示す一般的な事項の設定においては、各チェックボックス領域Ｆ２−３に対応付けられた設定情報が、各チェックボックス領域Ｆ２−３を設定情報入力部２９を用いて有効及び無効を選択することにより設定される。これらの各チェックボックス領域Ｆ２−３を有効又は無効にすることにより、これらのチェックボックス領域Ｆ２−３の右側に付された名称のシーケンスを実行するかどうかを設定できる。また、リスト表示領域Ｆ２−４を用いて、試料ガスを発生させた燃料の候補（候補燃料）が選択される。
上記のように、リスト表示領域Ｆ２−４を用いて候補燃料が選択されることにより、上記の酸素濃度換算値を算出するための換算濃度基準値が設定される。
【０１３８】
具体的には、まず、リスト表示領域Ｆ２−４の右端のボタンが指定されると、図３Ｉのように、候補燃料のリスト（例えば、図３Ｉにおいては、天然ガス（Ｎａｔｕｒａｌ−Ｇａｓ）、オイル燃料（Ｏｉｌ−Ｆｕｅｌ）、及びディーゼル燃料（Ｄｉｅｓｅｌ−Ｆｕｅｌ））が表示される。この状態にて、選択したい候補燃料を表示する箇所が指定（タッチ入力又はクリック）されることにより、候補燃料が選択される。
【０１３９】
ここで、上記の候補燃料（名）と換算濃度基準値Ｏｋとは、設定情報内において対応付けられている。従って、ユーザにより、リスト表示領域Ｆ２−４に表示された候補燃料が選択されると、情報処理ユニット２は、設定情報を参照することにより、選択された候補燃料に対応付けられた換算濃度基準値を抽出できる。
【０１４０】
このように、リスト表示領域Ｆ２−４において候補燃料を選択した結果、選択された候補燃料に対応する換算濃度基準値が設定されることにより、ユーザは、具体的な数値を換算濃度基準値として入力する必要がなくなる。その結果、換算濃度基準値を設定する際のユーザ操作数を減少できる。
なお、候補燃料のリストに対応付ける換算濃度基準値Ｏｋは、設定作業において変更可能となっていてもよい。これにより、任意（所望）の候補燃料及び／又は換算濃度基準値Ｏｋを設定できる。
【０１４１】
そして、表示フレームＦの表示状態を確認することにより候補燃料などの設定を確認した後、適用ボタンＦ２−５を指定して、設定を有効化する。これにより、設定機能にて新たに設定された設定情報が、分析ユニット１に送信される。
【０１４２】
新たな換算濃度基準値Ｏｋが設定されたとき、分析実行作業が実行（分析実行機能が選択されている場合だけでなく、バックグラウンド動作による動作も含んでいてもよい）中に、新たに設定された換算濃度基準値Ｏｋを、上記の酸素濃度換算値の算出式に代入（上記式のＯｋに代入）することにより、以後、新たな換算濃度基準値Ｏｋを用いて、酸素濃度換算値が算出される。
【０１４３】
（ｉｖ）連絡先表示作業の実行時の動作
作業内容として、連絡先表示作業が選択された場合（ステップＳ２において「連絡先表示作業」が選択された場合）、機能表示領域Ｆ１−８が強調表示されて、入出力情報表示フィールドＦ２の表示内容が、図３Ｄに示すように変化する（ステップＳ６１）。そして、ステップＳ６２に進む。ステップＳ６２においては、図３Ｄに示すように、表示フレームＦの入出力情報表示フィールドＦ２には、連絡手段として、住所（Ａｄｄｒｅｓｓ）、電話番号（Ｔｅｌｅｐｈｏｎｅ）、電子メール（Ｅｍａｉｌ）、遠隔サービスＷｅｂ（Ｒｅｍｏｔｅ  Ｓｅｒｖｉｃｅ  Ｗｅｂ）、が表示されている。
【０１４４】
また、入出力情報表示フィールドＦ２には、連絡先として、連絡先としての住所、連絡先電話番号、連絡先電子メールアドレス、遠隔サービスＷｅｂのアドレス、が表示されている。
特に、上記の連絡先電話番号、連絡先電子メールアドレス、遠隔サービスＷｅｂのアドレスには、下線が付されてある。これは、これらの連絡先にリンクが張られれていることを意味している。
【０１４５】
上記の連絡先とそのリンク、及び、連絡手段は、設定情報記憶部２５に記憶されている設定情報に含まれている。したがって、ステップＳ６２において、これらの情報を表示するに際しては、情報処理ユニット２は、設定情報記憶部２５に記憶されている設定情報から、連絡先とそのリンク、及び、連絡手段を抽出する。そして、抽出されたこれらの情報を、入出力情報表示フィールドＦ２に表示する。
【０１４６】
本実施形態においては、連絡先電話番号のリンクを指定（タッチ入力、又は、マウスによるクリック）すると、情報処理ユニット２において電話による通話アプリケーションが起動され、当該電話による通話アプリケーションが連絡先電話番号に記載された電話番号に電話を発信する。
連絡先電子メールアドレスのリンクを指定すると、情報処理ユニット２において電子メールアプリケーションが起動され、当該電子メールアプリケーションから電子メールが送信される。
遠隔サービスＷｅｂのアドレスのリンクを指定するとＷｅｂブラウザが起動され、当該Ｗｅｂブラウザを介して、ガス分析システム１００が、アドレスに示された外部のサーバに接続される。
【０１４７】
このように、連絡先と連絡手段が１の表示フレームＦに表示されることにより、情報の一覧性が向上する。また、連絡先にリンクが張られ、当該リンクを指定することにより、指定されたアプリケーションが自動的にリンクが張られた連絡先に連絡することにより、ユーザによる連絡先入力間違いなどにより、ユーザが誤った場所に連絡することを抑制できる。その結果、ユーザは、すばやく連絡先に連絡できる。
【０１４８】
（ｖ）履歴表示作業の実行時の動作
作業内容として履歴表示作業が選択された場合（ステップＳ２において「履歴表示作業」が選択された場合）、機能表示領域Ｆ１−６が強調表示されると同時に、入出力情報表示フィールドＦ２の表示内容が、図３Ｆに示すように変化する（ステップＳ７１）。そして、ステップＳ７２に進む。ステップＳ７２においては、分析ユニット１の履歴が表示される。
【０１４９】
ステップＳ７２においては、まず、情報処理ユニット２が、分析ユニット１に対して、分析ユニット１に記憶されている分析ユニット１の履歴を送信するよう指令する。そして、送信された分析ユニット１の履歴は、分析状態記憶部２７に記憶される。そして、分析状態記憶部２７に記憶されている分析ユニット１の履歴と情報処理ユニット２の履歴が合体され、ガス分析システム１００の履歴として入出力情報表示フィールドＦ２に表示される。
【０１５０】
図３Ｆに示す例においては、ガス分析システム１００の履歴として、アラーム又はイベントが発生した日時、イベントの種類、アラームの種類、アラームのエラーコード、及びイベント又はアラームが発生したときの動作モード、が入出力情報表示フィールドＦ２に表示されている。
【０１５１】
また、ステップＳ７１及びＳ７２においては、表示フレームＦの下部左側に履歴出力ボタンＦ１２が表示されている。履歴出力ボタンＦ１２を指定すると、分析状態記憶部２７に記憶されている履歴が、電子ファイルなどとして出力できる。
【０１５２】
（ｖｉ）つまり除去作業の実行時の動作
作業内容として、つまり除去作業が選択された場合（ステップＳ２において「つまり除去作業」が選択された場合）、機能表示領域Ｆ１−５が強調表示されると同時に、入出力情報表示フィールドＦ２の表示内容が、図３Ｂに示すように変化する（ステップＳ８１）。そして、ステップＳ８２へ進む。ステップＳ８２においては、分析ユニット１のフィルターや配管などのつまりを除去する作業が実行される。
【０１５３】
ステップＳ８２においては、まず、入出力情報表示フィールドＦ２に配置されているリスト表示領域Ｆ２−４及び／又はチェックボックス領域Ｆ２−３などを用いて、設定情報入力部２９により、つまり除去作業の条件（つまりを解消するためのガスを流す時間、及び、バルブの開放時間など）を設定する。その後、入出力情報表示フィールドＦ２の下部右側に配置された、適用ボタンＦ２−５を指定して、設定した条件を有効化する。
【０１５４】
設定した条件を有効化した後、表示フレームＦの左側下部に配置されたつまり除去実行ボタンＦ１３〜Ｆ１６を指定して、つまり除去作業を開始する。
なお、除去実行ボタンＦ１３は、分析ユニット１の分析器の配置箇所全てにおいてつまり除去作業を実行するためのボタンである。除去実行ボタンＦ１４〜Ｆ１６は、それぞれ、第１の配置箇所、第２の配置箇所、又は第３の配置箇所においてつまり除去作業を実行するためのボタンである。
これにより、ユーザは、適切な除去実行ボタンＦ１３〜Ｆ１６を指定することにより、所望の位置を指定してつまり除去機能を実行できる。
【０１５５】
なお、図３Ｂに示すように、作業内容としてつまり除去作業が選択された場合、表示フレームＦに表示されているのは、第１機能選択結果表示フィールドＦ１０１のみである。このように、第２機能選択結果表示フィールドＦ１０２、・・・Ｆ１０ｍは、表示する必要（関連づけられた選択項目が存在する場合）があるときに表示される。
【０１５６】
（ｖｉｉ）第１の試験実行作業の実行時の動作
作業内容として、第１の試験実行作業が選択された場合（ステップＳ２において「第１の試験実行作業」が選択された場合）、機能表示領域Ｆ１−３が強調表示されると同時に、入出力情報表示フィールドＦ２の表示内容が、図３Ｇに示すように変化する（ステップＳ９１）。そして、ステップＳ９２へ進む。ステップＳ９２においては、各国毎に定められている試験として、第１の試験が実行される。
【０１５７】
なお、図３Ｇに示す表示フレームＦにおいては、第２機能選択結果表示フィールドＦ１０２とＦ１０３との間に、もう１つの入出力情報表示フィールドＦ２が存在している。（サブ）機能選択結果表示フィールドＦ１と入出力情報表示フィールドＦ２とがこのような配置であっても、これらのフィールドの機能に変化はない。
【０１５８】
ステップＳ９２においては、まず、リスト表示領域Ｆ２−４及び文字入力領域Ｆ２−２を用い、設定情報入力部２９により、第１の試験のための条件を設定する。そして、適用ボタンＦ２−５を指定して、設定した条件を有効化する。
そして、実行ボタンＦ１１を指定して、第１の試験を実行する。実行ボタンＦ１１は、各機能を実行するためのボタンである。
【０１５９】
第１の試験の実行中、入出力情報表示フィールドＦ２の文字表示領域Ｆ２−１には、第１の試験の結果が表示される。そのため、情報処理ユニット２は、所定の周期にて、分析ユニット１に対して第１の試験の結果を含んだ分析ユニット情報を送信するよう指令する。その後、送信された分析ユニット情報は、分析状態記憶部２７に記憶される。
なお、第１の試験の終了後、第１の試験の結果は、各国の担当部署に送付するために、プリントアウトされてもよい。
【０１６０】
（ｖｉｉｉ）第２の試験実行作業の実行時の動作
作業内容として、第２の試験実行作業が選択された場合（ステップＳ２において「第２の試験実行作業」が選択された場合）、機能表示領域Ｆ１−４が強調表示されると同時に、入出力情報表示フィールドＦ２の表示内容が、図３Ｈに示すように変化する（ステップＳ１０１）。そして、ステップＳ１０２へ進む。ステップＳ１０２においては、各国毎に定められている試験として、第２の試験が実行される。
【０１６１】
ステップＳ１０２においては、実行ボタンＦ１１を指定することにより、第２の試験が実行される。
第２の試験の実行中、入出力情報表示フィールドＦ２の文字表示領域Ｆ２−１には、第２の試験の結果が表示される。そのため、情報処理ユニット２は、分析ユニット１に対して、第２の試験の結果を含んだ分析ユニット情報を送信するよう指令する。その後、送信された分析ユニット情報は、分析状態記憶部２７に記憶される。
なお、第２の試験の終了後、第２の試験の結果は、各国の担当部署に送付するために、プリントアウトされてもよい。
【０１６２】
（５）第１実施形態の作用効果
第１実施形態にかかるガス分析システムの効果は、以下のように記載できる。
ガス分析システム１００（ガス分析システムの一例）は、試料ガスを分析するガス分析システムである。ガス分析システム１００は、分析ユニット１（分析ユニットの一例）と、機能選択部２３（機能選択部の一例）と、設定情報記憶部２５（設定情報記憶部の一例）と、設定情報入力部２９（設定情報入力部の一例）と、表示部２１（表示部の一例）と、分析状態記憶部２７（分析状態記憶部の一例）と、を備える。
分析ユニット１は、設定情報（設定情報の一例）に基づいて、複数の作業内容（作業内容の一例）のうちの選択された作業内容を実行する。
機能選択部２３は、複数の作業内容のそれぞれ、及び、選択項目（選択項目の一例）のそれぞれに対応する複数の機能選択ボタンＢ１、Ｂ２、・・・Ｂｎ（機能選択ボタンの一例）を有する。少なくとも１つの作業内容が、設定項目を関連づけて有している。また、機能選択部２３は、対応する機能選択ボタンＢ１、Ｂ２、・・・ＢｎをＯＮ状態とすることにより所望の作業内容及び／又は選択項目を選択可能となっている。
設定情報記憶部２５は、設定情報を記憶する。設定情報入力部２９は、設定情報の入力を受け付ける。表示部２１は、表示フレームＦ（表示フレームの一例）を表示する。分析状態記憶部２７は、分析ユニットからの出力信号を、分析ユニット情報として記憶する。
【０１６３】
また、表示部２１に表示される表示フレームＦは、入出力情報表示フィールドＦ２（入出力情報表示フィールドの一例）と、第１機能選択結果表示フィールドＦ１０１（第１機能選択結果表示フィールドの一例）と、第２機能選択結果表示フィールドＦ１０２、Ｆ１０３、・・・Ｆ１０ｍ（第２機能選択結果表示フィールドの一例）と、を有している。
入出力情報表示フィールドＦ２は、現在選択されている作業内容、及び／又は、現在選択されている選択項目に基づいて、設定情報記憶部２５に記憶されている所定の設定情報、及び／又は、分析状態記憶部２７に記憶されている所定の分析ユニット情報を表示する。また、入出力情報表示フィールドＦ２は、設定情報入力部２９により新たな設定情報が入力された場合には、新たな設定情報を表示する。
第１機能選択結果表示フィールドＦ１０１は、複数の作業内容のそれぞれの名称を表示する複数の機能表示領域Ｆ１−１、Ｆ１−２、・・・Ｆ１−８（機能表示領域の一例）を有する。第２機能選択結果表示フィールドＦ１０２、Ｆ１０３、・・・Ｆ１０ｍは、現在選択されている作業内容に選択項目が関連づけられているときに、選択項目の名称を表示する機能表示領域Ｆ１−９、Ｆ１−１０、・・・Ｆ１−ｋ（機能表示領域の一例）を表示する。
また、第１機能選択結果表示フィールドＦ１０１及び第２機能選択結果表示フィールドＦ１０２、Ｆ１０３、・・・Ｆ１０ｍにおいて、現在選択されている作業内容の名称を表示する機能表示領域Ｆ１−１、Ｆ１−２、・・・Ｆ１−８、及び／又は、現在選択されている選択項目の名称を表示する機能表示領域Ｆ１−９、Ｆ１−１０、・・・Ｆ１−ｋは強調表示されている。
【０１６４】
さらに、複数の機能表示領域Ｆ１−１、Ｆ１−２、・・・Ｆ１−ｋと複数の機能選択ボタンＢ１、Ｂ２、・・・Ｂｎは、機能表示領域Ｆ１−１、Ｆ１−２、・・・Ｆ１−ｋ内の所定の位置を指定して機能表示領域Ｆ１−１、Ｆ１−２、・・・Ｆ１−ｋを特定することにより、特定された機能表示領域Ｆ１−１、Ｆ１−２、・・・Ｆ１−ｋに付された作業内容及び／又は設定項目に対応する機能選択ボタンＢ１、Ｂ２、・・・ＢｎをＯＮ状態とすることが可能となるよう対応づけられている。
【０１６５】
ガス分析システム１００においては、表示部２１に表示フレームＦが表示される。これにより、ユーザは、ガス分析システム１００に関する視覚的情報を与えられる。次に、表示フレームＦ中の第１機能選択結果表示フィールドＦ１０１の機能表示領域Ｆ１−１、Ｆ１−２、・・・Ｆ１−８内の所定の位置が指定されることにより、所望の作業内容を名称として付された機能表示領域Ｆ１−１、Ｆ１−２、・・・Ｆ１−８が特定される。このとき、特定された機能表示領域Ｆ１−１、Ｆ１−２、・・・Ｆ１−８に付された作業内容に対応する機能選択ボタンＢ１、Ｂ２、・・・ＢｎがＯＮ状態となる。その結果、所望の作業内容が選択される。
【０１６６】
次に、選択された作業内容に関連づけられた選択項目が存在する場合、当該選択項目の名称が付された機能表示領域Ｆ１−９、Ｆ１−１０、・・・Ｆ１−ｋが、第２機能選択結果表示フィールドＦ１０２、Ｆ１０３、・・・Ｆ１０ｍに表示される。この場合、第１機能選択結果表示フィールドＦ１０１と同様、第２機能選択結果表示フィールドＦ１０２、Ｆ１０３、・・・Ｆ１０ｍ内の機能表示領域Ｆ１−９、Ｆ１−１０、・・・Ｆ１−ｋを指定することにより、所望の選択項目が選択される。
【０１６７】
そして、分析ユニット１が、設定情報記憶部２５に記憶されている設定情報に基づいて、選択された作業内容を実行する。作業内容を実行している分析ユニット１は、出力信号を出力する。当該出力信号は、分析状態記憶部２７に分析ユニット情報として記憶される。
【０１６８】
分析ユニット１における各作業の実行中、ガス分析システム１００においては、第１機能選択結果表示フィールドＦ１０１に、作業内容の名称を表示する機能表示領域Ｆ１−１、Ｆ１−２、・・・Ｆ１−８が表示される。加えて、選択された作業内容に関連づけられた選択項目が存在する場合は、第２機能選択結果表示フィールドＦ１０２、Ｆ１０３、・・・Ｆ１０ｍが表示され、第２機能選択結果表示フィールドＦ１０２、Ｆ１０３、・・・Ｆ１０ｍには関連付けられた選択項目の名称を表示する機能表示領域Ｆ１−９、Ｆ１−１０、・・・Ｆ１−ｋが表示される。
また、所定の設定情報、及び／又は、所定の分析ユニット情報が、入出力情報表示フィールドＦ２に表示される。なお、入出力情報表示フィールドＦ２に表示される設定情報及び分析ユニット情報は、選択されている作業内容及び／又は選択項目に基づいて決められている。また、現在選択されている作業内容及び／又は選択項目に対応する名称が付された機能表示領域Ｆ１−１、Ｆ１−２、・・・Ｆ１−ｋは強調表示されている。
【０１６９】
上記のような表示フレームＦを表示部２１に表示することにより、ユーザにとっては、画面表示の情報の一覧性が向上する。なぜなら、第１に、第１機能選択結果表示フィールドＦ１０１に作業内容が表示され、選択された作業内容に関連づけられた選択項目が存在する場合は、選択項目の名称を表示する機能表示領域Ｆ１−９、Ｆ１−１０、・・・Ｆ１−ｋが第２機能選択結果表示フィールドＦ１０２、Ｆ１０３、・・・Ｆ１０ｍに表示されるからである。
第２に、表示フレームＦの第１機能選択結果表示フィールドＦ１０１及び第２機能選択結果表示フィールドＦ１０２、Ｆ１０３、・・・Ｆ１０ｍにおいては、現在選択されている選択機能に対応する名称が付された機能表示領域Ｆ１−１、Ｆ１−２、・・・Ｆ１−ｋが強調表示されるからである。
第３に、入出力情報表示フィールドＦ２においては選択された作業内容及び／又は選択項目に基づいて、所定の設定情報、及び／又は、所定の分析ユニット情報が表示されているからである。
【０１７０】
また、ガス分析システム１００においては、表示フレームＦ中の複数の機能表示領域Ｆ１−１、Ｆ１−２、・・・Ｆ１−ｋから特定の機能表示領域を指定することにより、所望の作業内容及び／又は選択項目を選択可能となっている。そのため、少ないユーザ操作数にてガス分析システムの所望の作業内容及び／又は選択項目を選択でき、つまりガス分析システム１００の操作性が向上する。
【０１７１】
そして、入出力情報表示フィールドＦ２においては、選択された作業内容及び／又は選択項目に基づいて、所定の設定情報、及び／又は、所定の分析ユニット情報が表示される。言い換えると、ユーザ操作によって所望の作業内容及び／又は選択項目が選択されると、それに応じて、入出力情報表示フィールドＦ２の表示内容が変化する。このようにして、情報の一覧性が向上していることで、操作性も向上している。
【０１７２】
複数の作業内容は、分析実行作業（分析実行作業の一例）を含んでいる。また、分析実行作業が選択されたとき、入出力情報表示フィールドＦ２には、分析状態記憶部２７に記憶されている分析ユニット情報が表示される。さらに、分析ユニット情報は、試料ガスのガスパラメータの分析結果と、分析ユニット１の状態に関する情報とを含んでいる。
これにより、試料ガスのガスパラメータ分析結果と分析ユニット１の状態とを表示フレームＦに表示できる。その結果、ユーザにとって画面表示の情報の一覧性が向上する。
【０１７３】
複数の作業内容は、校正実行作業（校正実行作業の一例）を含んでいる。校正実行作業が選択されたとき、入出力情報表示フィールドＦ２には、設定情報記憶部２５に記憶されている設定情報、及び、分析状態記憶部２７に記憶されている分析ユニット情報が表示される。
さらに、設定情報は、分析ユニット１の校正を実行するときに用いる対象ガス（対象ガスの一例）と、分析ユニット１のスパン校正を実行する対象ガスの濃度と、ゼロ校正を実行する対象ガスの濃度を含んでいる。
また、分析ユニット情報は、分析ユニット１におけるゼロ校正の実行結果と、スパン校正の実行結果と、を含んでいる。
これにより、校正を実行する対象ガスと、スパン校正を実行する対象ガスの濃度と、ゼロ校正を実行する対象ガスの濃度と、ゼロ校正の実行結果と、スパン校正の実行結果と、を表示フレームＦに表示できる。その結果、ユーザは、表示フレームＦにおいて、上記の情報を一度に確認できる。そのため、ユーザにとって、画面表示の情報の一覧性が向上する。
【０１７４】
複数の作業内容は、連絡先表示作業（連絡先表示作業の一例）を含んでいる。連絡先表示作業が選択されたとき、入出力情報表示フィールドＦ２には、設定情報記憶部２５に記憶されている設定情報が表示される。
さらに、設定情報は、連絡先情報（連絡先情報の一例）と、連絡手段（連絡手段の一例）とを含んでいる。また、ガス分析システム１００においては、連絡先情報が表示された領域を指定することにより、指定された連絡先情報に対応づけられた連絡手段を用いて、指定された連絡先に連絡可能となっている。
【０１７５】
このように、設定情報に含まれる連絡先と連絡手段とが表示フレームＦに表示されることにより、情報の一覧性が向上する。
また、連絡先情報が表示された領域を指定することにより、指定された連絡先情報に対応づけられた連絡手段を用いて、指定された連絡先に連絡可能となっていることにより、ユーザが誤った場所に連絡することが生じにくい。その結果、ユーザは、すばやく連絡先に連絡できる。
【０１７６】
複数の作業内容は、設定作業（設定作業の一例）を含んでいる。設定作業が選択されたとき、入出力情報表示フィールドＦ２には、少なくとも、燃焼時に用いた候補燃料（候補燃料の一例）のリストが表示される。
さらに、設定情報には候補燃料のリストが含まれている。このとき、候補燃料のそれぞれは、複数の換算濃度基準値Ｏｋ（換算濃度基準値の一例）のそれぞれと関連付けられている。また、ガス分析システム１００においては、入出力情報表示フィールドＦ２に表示された候補燃料から、１の候補燃料を選択することにより、換算濃度基準値Ｏｋを設定可能となっている。
これにより、ユーザは、具体的な数値を換算濃度基準値Ｏｋとして入力する必要がなくなる。その結果、換算濃度基準値Ｏｋを設定する際のユーザ操作数を減少できる。
【０１７７】
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
上記のガス分析システム１００において、第１機能選択結果表示フィールドＦ１０１における機能表示領域Ｆ１−１、Ｆ１−２、・・・Ｆ１−８の配置位置、及び第２機能選択結果表示フィールドＦ１０２、Ｆ１０３、・・・Ｆ１０ｍにおける機能表示領域Ｆ１−９、Ｆ１−１０、・・・Ｆ１−ｋの配置位置は、必要に応じて変更できる。
【産業上の利用可能性】
【０１７８】
本発明は、試料ガスの分析を行うガス分析システムに広く適用できる。
【符号の説明】
【０１７９】
１００ ガス分析システム
１     分析ユニット
２     情報処理ユニット
２１   表示部
２３   機能選択部
２５   設定情報記憶部
２７   分析状態記憶部
２９   設定情報入力部
Ｂ１、Ｂ２、Ｂｎ     機能選択ボタン
Ｆ     表示フレーム
Ｆ１   機能選択結果表示フィールド
Ｆ１０１      第１機能選択結果表示フィールド
Ｆ１０２、Ｆ１０３、Ｆ１０４、Ｆ１０５、Ｆ１０ｍ 第２機能選択結果表示フィールド
Ｆ１−１、Ｆ１−２、Ｆ１−３、Ｆ１−４、Ｆ１−５ 機能表示領域
Ｆ１−６、Ｆ１−７、Ｆ１−８、Ｆ１−９、Ｆ１−１０      機能表示領域
Ｆ１−１１、Ｆ１−１２、Ｆ１−１３、Ｆ１−１４、Ｆ１−１５     機能表示領域
Ｆ１−１６、Ｆ１−１７、Ｆ１−１８、Ｆ１−１９、Ｆ１−２０     機能表示領域
Ｆ１−２１、Ｆ１−２２、Ｆ１−２３、Ｆ１−ｋ            機能表示領域
Ｆ２   入出力情報表示フィールド
Ｆ２−１      文字表示領域
Ｆ２−２      文字入力領域
Ｆ２−３      チェックボックス領域
Ｆ２−４      リスト表示領域
Ｆ２−５      適用ボタン
Ｆ３   ステータス表示フィールド
Ｆ４   システム停止ボタン
Ｆ５   オゾン発生器運転停止ボタン
Ｆ６   実行モード選択ボタン
Ｆ７   安全レベル設定ボタン
Ｆ８   アラーム表示ボタン
Ｆ９   入力手段表示ボタン
Ｆ１０ 校正時アラーム表示ボタン
Ｆ１１ 実行ボタン
Ｆ１２ 履歴出力ボタン
Ｆ１３ 除去実行ボタン
Ｆ１４ 除去実行ボタン
Ｆ１５ 除去実行ボタン
Ｆ１６ 除去実行ボタン
【図１】
2015090297.tif 000003
【図２】
2015090297.tif 000004
【図３Ａ】
2015090297.tif 000005
【図３Ｂ】
2015090297.tif 000006
【図３Ｃ】
2015090297.tif 000007
【図３Ｄ】
2015090297.tif 000008
【図３Ｅ】
2015090297.tif 000009
【図３Ｆ】
2015090297.tif 000010
【図３Ｇ】
2015090297.tif 000011
【図３Ｈ】
2015090297.tif 000012
【図３Ｉ】
2015090297.tif 000013
【図４】
2015090297.tif 000014